(57)【要約】【課題】デジタル式表示器上にアナログ式表示器の表示板の一部分が重なり合うように配設してあっても、重ね合わせ部に設けられた表示板の指標部の視認性が良好な計器装置を提供する。【解決手段】指針１１と、第１および第２指標部を有する表示板１０と、第１指標部を照明する発光ダイオード１２（第１の光源）とを有するアナログ式表示器１（回転計）と、表示部を有する液晶表示素子２と、この液晶表示素子２を照明する発光ダイオード２７（第２の光源）とを有するデジタル式表示器３とを備えた計器装置であって、液晶表示素子２の前方側に表示板１０の一部を重ね合わせ、この重ね合わせ部２３に設けられた第２指標部を発光ダイオード２７（第２の光源）で照明するように構成する。【選択図】図２
2005189135.tif 000002
【特許請求の範囲】
【請求項１】
指針と、第１および第２指標部を有する表示板と、前記第１指標部を照明する第１の光源とを有するアナログ式表示器と、表示部を有する表示素子と、この表示素子を照明する第２の光源とを有するデジタル式表示器とを備えた計器装置であって、前記表示素子の前方側に前記表示板の一部を重ね合わせ、この重ね合わせ部に設けられた前記第２指標部を前記第２の光源で照明するように構成したことを特徴とする計器装置。
【請求項２】
前記重ね合わせ部に設けられた前記第２指標部に対応した前記表示素子の表面側の端面を露出面としたことを特徴とする請求項１に記載の計器装置。
【請求項３】
前記表示素子の表示面が前記重ね合わせ部によって少なくとも二分されたことを特徴とする請求項１または請求項２に記載の計器装置。
【発明の詳細な説明】
【技術分野】
【０００１】
本発明は、デジタル式表示器上にアナログ式表示器の表示板の一部が重なり合うように配設された計器装置に関するものである。
【背景技術】
【０００２】
従来、この種の指示計器として、例えば下記特許文献１に記載のものが知られている。この計器装置は、指針軸２を介して計器本体３によって回動する指針１と、この指針１の後方に配設されるとともに複数の指標部４を備えた文字板６と、この文字板６の後方に配設され指標部４を照明する第１の光源９と、文字板６の表示面５内に設けた窓部１０に臨む液晶セル１３を有するとともに、指標部４の一部と干渉する（重なり合っている）液晶表示器１１とを備えている。そして、第１の光源９によって液晶表示器１１と干渉している指標部４を液晶セル１３の非表示部２６を介して透過照明させるものである。
【特許文献１】特開平９−２９２２６７号公報
【発明の開示】
【発明が解決しようとする課題】
【０００３】
しかしながら、上記特許文献１に記載の計器装置では、文字板６あるいは液晶セル１３の後方に計器本体３あるいはライトケース１５などが配置してあるため、文字板６の指標部４を照明する第１の光源９の配置位置が自ずから決まってしまう。従って、文字板６と液晶セル１３との重なり箇所によっては第１の光源９からの照明光が重なり合っている文字板６の指標部４まで十分届かず、指標部４の明るさが低下してしまう場合があり、視認性が損なわれていた。また、液晶セル１３がライトケース１５からはみ出しているために、液晶セル１３の抑え（固定）が不充分となりやすい。
【０００４】
本発明はこの様な点に鑑みなされたもので、デジタル式表示器上にアナログ式表示器の表示板の一部が重なり合うように配設してあっても、重ね合わせ部に設けられた表示板の指標部の視認性が良好な計器装置を提供することを目的とする。
【課題を解決するための手段】
【０００５】
本発明は前記目的を達成するため、指針と、第１および第２指標部を有する表示板と、前記第１指標部を照明する第１の光源とを有するアナログ式表示器と、表示部を有する表示素子と、この表示素子を照明する第２の光源とを有するデジタル式表示器とを備えた計器装置であって、前記表示素子の前方側に前記表示板の一部を重ね合わせ、この重ね合わせ部に設けられた前記第２指標部を前記第２の光源で照明するように構成したものである。
【０００６】
また、前記重ね合わせ部に設けられた前記第２指標部に対応した前記表示素子の表面側の端面を露出面としたものである。
【０００７】
また、前記表示素子の表示面が前記重ね合わせ部によって少なくとも二分されたものである。
【発明の効果】
【０００８】
デジタル式表示器上にアナログ式表示器の表示板の一部が重なり合うように配設してあっても、重ね合わせ部に設けられた表示板の指標部の視認性が良好な計器装置を得ることができる。
【発明を実施するための最良の形態】
【０００９】
本発明を、車両用の計器装置に適用した例を実施形態として説明する。また、表示素子としては液晶を用いた表示素子を実施形態として説明する。図１は計器装置の正面図である。図２は図１に於けるＡ−Ａ断面であり、図３は図１に於けるＢ−Ｂ断面である。図４は図２に於けるＸ矢視図であって、表示板を除いた状態である。図５は図４に於けるＹ矢視図である。
【００１０】
計器装置は、回転計からなるアナログ式表示器１と、速度，温度，時刻などを表示する液晶表示素子２（表示素子）を有するデジタル式表示器３と、このアナログ式表示器１とデジタル式表示器３が導通状態で装着される硬質な回路基板４と、これらが収納されるケースとしての上ケース５および下ケース６とを備えている。アナログ式表示器１としての回転計は、計器本体７と、この計器本体７の前方側に配置される無色透明な合成樹脂からなる導光板８と、この導光板８の前面側に配置され指標部９を有する表示板１０と、計器本体７の回動軸（図示せず）の先端側に固着され車両のエンジン回転に応じて回動する指針１１とを備えている。なお、詳細は後述するが指標部９は第１指標部９Ａと第２指標部９Ｂとに分けられる。また、回路基板４上には、表示板１０の第１指標部９Ａを背後から透過照明する光源としての発光ダイオード１２（第１の光源）が実装してある。
【００１１】
指針１１は、無色透明な合成樹脂からなる指示部１３と、指針軸１４と、遮光性の合成樹脂からなる指針キャップ１５を備えている。この指針１１は指針軸１４を計器本体７の回動軸（図示せず）の先端側に圧入することによって計器本体７に固着されている。また、指示部１３の裏面には白色の箔１６がホットスタンプされており、通常（周囲が明るい時）は白色で視認される。また、夜間など周囲が暗い時には回路基板４に実装してある指針１１照明用の発光ダイオード（図示せず）を点灯させることにより、指針１１の指示部１３が発光ダイオードの発光色（例えば赤色）で光輝するようになっている。
【００１２】
表示板１０は、無色透明な合成樹脂製の基板の表面側に、車両のエンジン回転数を現す目盛，数字などの光透過性を有する例えば白色の指標部９と、この指標部９を除いて例えば黒色の地部１７が印刷によって設けてある。なお、図１に於いては、指標部９を黒色で、地部１７を無色で示す。また、表示板１０にはターン表示部１８，ハイビーム表示部１９，燃料残量表示部２０などの報知表示部が設けられている。詳細は図示しないが、各報知表示部の背後に設けられた各光源の点灯によってターン表示部１８，ハイビーム表示部１９，燃料残量表示部２０が照明され、運転者に車両の作動状態を知らせるようになっている。
【００１３】
また、表示板１０には液晶表示素子２の表示面２１，２１Ａを臨ませる略矩形の２個の窓２２，２２Ａが設けてある。この表示面２１，２１Ａは表示板１０の一部（本実施形態においては窓２２と窓２２Ａとの間の箇所を指し、重ね合わせ部２３とする）を液晶表示素子２の前方側に重ね合わせることによって二分されたものである。そして、この重ね合わせ部２３には、図１に示す様に指標部９の一部（第２指標部９Ｂ）が設けてある。すなわち、重ね合わせ部２３に設けられた指標部を第２指標部９Ｂとし、それ以外の指標部を第１指標部９Ａとするものである。図４に、液晶表示素子２と重ね合わせ部２３に設けられた第２指標部９Ｂとの位置関係を示す。
【００１４】
デジタル式表示器３は、速度，温度，時刻などの表示部（図示せず）を有する矩形の液晶表示素子２と、この液晶表示素子２の裏面側に配設された拡散板２４と、液晶表示素子２および拡散板２４が保持される合成樹脂製の素子ケース２５と、液晶表示素子２の周縁部を素子ケース２５に固定するための金属製の押え枠２６と、回路基板４上に実装され液晶表示素子２を背後から照明する光源としての発光ダイオード２７（第２の光源）とを備えている。２８は上ケース５に装着され表示部（図示せず）の表示切替を行う操作ボタンである。
【００１５】
金属製の押え枠２６周囲の複数箇所には足部２９を設けて、その先端側を回路基板４に設けた孔に挿入して折り曲げている（図３参照）。この様にして、液晶表示素子２や素子ケース２５などを回路基板４に取付固定するものである。また、表示板１０の第２の指標部９Ｂに対応した液晶表示素子２箇所は、液晶表示素子２の表面（前面）側の端面が露出する露出面３０を有している。すなわち、図４および図５に示す様に押え枠２６の一部が切り欠かれて（除かれて）、図４に示す様に露出面３０となっている。なお、押え枠２６と表示板１０との間にはゴム製のパッキン３１を配設して、表示板１０が振れるのを抑えるようにしている。
【００１６】
上ケース５は合成樹脂からなる無色透明な透視板３２と、この透視板３２の周囲に一体的に形成された覆い部３３および側壁３４からなる。この覆い部３３および側壁３４は黒色の合成樹脂からなるもので、下ケース６の前面開口側を塞いでいる。なお、覆い部３３から表示板１０側に向かって垂壁３５が一体に設けられている。この垂壁３５は表示板１０と覆い部３３との間隔が広いと下ケース６内が見えやすいので、これを隠すものである。また、下ケース６も黒色の合成樹脂からなり、図示しないが、ビスやフックなどを用いて上ケース５と固定されている。
【００１７】
この様に構成された計器装置において、周囲が明るい時は、表示板１０に設けられた指標部９（第１指標部９Ａおよび第２指標部９Ｂ）は白色で視認され、液晶表示素子２の表示面２１，２１Ａに表示される速度，温度，時刻などの表示部は黒色で視認される。また、夜間など周囲が暗い時には、表示板１０の第１指標部９Ａは例えば赤色で発光する発光ダイオード１２（第１の光源）を点灯させることにより、赤色で透過表示される。液晶表示素子２は例えば赤色で発光する発光ダイオード２７（第２の光源）を点灯させることにより、表示部以外が赤色で透過照明され、この赤色の背景の中に表示部が黒色で視認されるようになる。また、表示板１０の第２指標部９Ｂは液晶表示素子２を透過した赤色の光を背後から受けて、第１指標部９Ａと同様な赤色で透過表示される。
【００１８】
なお、表示板１０に設けられた第２指標部９Ｂの透過輝度を上げるために、第２指標部９Ｂ（あるいは重ね合わせ部２３）に対応した箇所の液晶表示素子２の基板の表面および裏面に粘着してある偏光膜のいずれか一方、あるいは両方の偏光膜を削除するようにしても良い。
【００１９】
この様に、液晶表示素子２の上に表示板１０の一部が配設された重ね合わせ部２３があり、この重ね合わせ部２３に指標部（第２指標部９Ｂ）が設けてあっても、液晶表示素子２を照明する発光ダイオード２７で透過照明させることができるため、第２指標部９Ｂが第１指標部９Ａに対して明るさが低下することなく指標部９全体の照明バランスがとれ、視認性の良好な計器装置を得ることができる。
【００２０】
また、第２指標部９Ｂに対応した液晶表示素子２の表面側の端面を露出面３０としたことにより、液晶表示素子２を透過した発光ダイオード２７の照明光が露出面３０から出射されて、端面上に第２指標部９Ｂが設けてあっても良好に透過照明可能となる。また、表示板１０の重ね合わせ部２３によって液晶表示素子２の表示面を二分することができるため、液晶表示素子２や素子ケース２５などが１個で済み、部品点数も少なくて組み付け作業性も容易である。また、液晶表示素子２が素子ケース２５や押え枠２６からはみ出していないため、液晶表示素子２の保持状態も安定する。
【００２１】
なお、前記実施形態において、表示板１０，指針１１，液晶表示素子２を照明する各発光ダイオードは周囲が暗い時のみ点灯させるようにしたが、昼間時においても点灯させて各々を照明させるように構成しても良い。また、発光ダイオード１２，２７を表示板１０および液晶表示素子２の裏面側に配置したが、表示板１０および液晶表示素子２の裏面に照明光が当たるように構成してあれば、発光ダイオード１２，２７の位置は任意である。
【図面の簡単な説明】
【００２２】
【図１】本発明の実施形態を示す計器装置の正面図。
【図２】同計器装置の断面図（図１に於けるＡ−Ａ断面）。
【図３】同計器装置の部分断面図（図１に於けるＢ−Ｂ断面）。
【図４】図２に於けるＸ矢視図。
【図５】図４に於けるＹ矢視図。
【符号の説明】
【００２３】
１  アナログ式表示器（回転計）
２  液晶表示素子（表示素子）
３  デジタル式表示器
４  回路基板
９  指標部
９Ａ  第１指標部
９Ｂ  第２指標部
１０  表示板
１１  指針
１２  発光ダイオード（第１の光源）
２１，２１Ａ  表示面
２３  重ね合わせ部
２７  発光ダイオード（第２の光源）
３０  露出面
【図１】
2005189135.tif 000003
【図２】
2005189135.tif 000004
【図３】
2005189135.tif 000005
【図４】
2005189135.tif 000006
【図５】
2005189135.tif 000007